【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
制御プログラムを実行して記録装置に制御コマンドを出力し、前記記録装置を制御する制御プログラム実行部と、
アプリケーションを実行して記録媒体に記録する画像に関する画像情報を生成し、前記制御プログラム実行部に出力するアプリケーション実行部と、を備え、
前記制御プログラム実行部は、
前記制御プロラムの機能とは別の機能により、前記記録装置に登録画像データと前記登録画像データを識別する第１の識別情報とが対応付けて記憶された場合、前記第１の識別情報を取得し、前記アプリケーション実行部との間で使用可能な第２の識別情報を割り振り、前記第１の識別情報と前記第２の識別情報とを対応付けて管理し、
前記アプリケーション実行部から前記第２の識別情報を含む前記画像情報が入力された場合、前記第２の識別情報を前記第１の識別情報に変換し、前記第１の識別情報を含む制御コマンドを前記記録装置に出力し、前記記録装置に前記第１の識別情報と対応付けて記憶された前記登録画像データに基づいて画像を記録させることを特徴とする制御装置。
【請求項２】
前記第２の識別情報を入力する入力部を有し、
前記制御プログラム実行部は、前記入力部で入力された前記第２の識別情報を前記第１の識別情報に対して割り振る請求項１の記載の制御装置。
【請求項３】
前記別の機能は、前記記録装置に接続可能な外部機器にインストールされたソフトウェアツールの機能であり、
前記外部機器と通信可能に接続され、
前記制御プログラム実行部は、
前記外部機器の前記ソフトウェアツールの機能により、前記記録装置に前記登録画像データと、前記第１の識別情報とが対応付けて記憶された場合、前記外部機器と通信して前記第１の識別情報を取得する請求項１又は２に記載の制御装置。
【請求項４】
前記制御プログラム実行部は、
前記記録装置で前記登録画像データと前記第１の識別情報と前記第２の識別情報とを対応付けて管理していないことを判別した場合は、前記第１の識別情報を取得し、前記第２の識別情報を割り振る請求項１ないし３のいずれか１項に記載の制御装置。
【請求項５】
記録装置に登録画像データと前記登録画像データを識別する第１の識別情報とが対応付けて記憶された場合、前記記録装置に接続された制御装置の制御プログラムで前記第１の識別情報を取得し、
前記制御プログラムに画像情報を出力するアプリケーションとの間で使用可能な第２の識別情報を前記制御プログラムで割り振り、前記第１の識別情報と前記第２の識別情報との対応付けを実行し、
前記アプリケーションから前記第２の識別情報を含む前記画像情報が入力された場合、前記第２の識別情報を前記第１の識別情報に変換し、
前記第１の識別情報を含む制御コマンドを前記制御装置から前記記録装置に出力し、
前記記録装置に、前記第１の識別情報と対応付けて記憶された前記登録画像データに基づいて画像を記録させることを特徴とする制御装置の制御方法。
【請求項６】
アプリケーションを実行して記録媒体に記録する画像に関する画像情報を生成して出力するアプリケーション実行部を備える制御装置により実行されるプログラムであって、
前記制御装置に接続された記録装置に、登録画像データと前記登録画像データを識別する第１の識別情報とが対応付けて記憶された場合、前記第１の識別情報を取得し、前記アプリケーション実行部との間で使用可能な第２の識別情報を割り振り、前記第１の識別情報と前記第２の識別情報とを対応付けて管理し、前記アプリケーション実行部から前記第２の識別情報を含む前記画像情報が入力された場合、前記第２の識別情報を前記第１の識別情報に変換し、前記第１の識別情報を含む制御コマンドを前記記録装置に出力する制御プログラム実行部、として機能させることを特徴とするプログラム。
【手続補正２】
【補正対象書類名】明細書
【補正対象項目名】０００５
【補正方法】変更
【補正の内容】
【０００５】
上記目的を達成するために、本発明は、制御プログラムを実行して記録装置に制御コマンドを出力し、前記記録装置を制御する制御プログラム実行部と、アプリケーションを実行して記録媒体に記録する画像に関する画像情報を生成し、前記制御プログラム実行部は、前記制御プロラムの機能とは別の機能により、前記記録装置に登録画像データと前記登録画像データを識別する第１の識別情報とが対応付けて記憶された場合、前記第１の識別情報を取得し、前記アプリケーション実行部との間で使用可能な第２の識別情報を割り振り、前記第１の識別情報と前記第２の識別情報とを対応付けて管理し、前記アプリケーション実行部から前記第２の識別情報を含む前記画像情報が入力された場合、前記第２の識別情報を前記第１の識別情報に変換し、前記第１の識別情報を含む制御コマンドを前記記録装置に出力し、前記記録装置に前記第１の識別情報と対応付けて記憶された前記登録画像データに基づいて画像を記録させることを特徴とする。
この構成によれば、制御プログラムを実行して記録装置を制御する制御プログラム実行部は、制御プロラムの機能とは別の機能により、記録装置に、１の登録画像データと、当該１の登録画像データを識別するための情報である外部識別情報とが対応付けて記憶された場合、当該外部識別情報を取得すると共に、アプリケーション実行部及び制御プログラム実行部の間で使用可能な内部識別情報を割り振り、当該内部識別情報と当該外部識別情報とを対応付けて管理する。このため、制御プログラム実行部は、当該別の機能により割り振られた外部識別情報を、自身が使用可能な内部識別情報と対応付けて管理することができる。さらに、上記構成によれば、当該１の登録画像データに係る画像を記録させるべく、アプリケーション実行部から当該内部識別情報を含む画像情報が入力された場合、当該内部識別情報を当該外部識別情報に変換し、当該外部識別情報を含む制御コマンドを記録装置に出力して画像を記録させるため、記録装置において外部識別情報に対応付けて記憶された当該１の登録画像データを適切に指定した上で、記録装置に、当該１の登録画像データに基づいて画像を記録させることができる。すなわち、上記構成によれば、当該別の機能に対する改変（例えば、ソフトウェアツールに対するカスタマイズ）等の困難かつ煩雑な作業を経ることなく、制御プログラム実行部は、制御プログラムの機能とは別の機能によって登録がされた登録画像データを管理できると共に、記録装置に、当該登録画像データに基づいて画像を記録させることができる。
【手続補正３】
【補正対象書類名】明細書
【補正対象項目名】０００６
【補正方法】変更
【補正の内容】
【０００６】
また、本発明は、前記第２の識別情報を入力する入力部を有し、前記制御プログラム実行部は、前記入力部で入力された前記第２の識別情報を前記第１の識別情報に対して割り振ることを特徴とする。
この構成によれば、制御プロラムの機能とは別の機能により１の登録画像データと対応付けて記憶された外部識別情報と、当該外部識別情報に対応する内部識別情報との入力が可能であり、制御プログラム実行部は、これら情報が入力された場合、これら情報を対応付けて管理するため、外部識別情報と、内部識別情報とを入力するという簡易な手段により、これら情報の対応付けが可能となる。
【手続補正４】
【補正対象書類名】明細書
【補正対象項目名】０００７
【補正方法】変更
【補正の内容】
【０００７】
また、本発明は、前記別の機能は、前記記録装置に接続可能な外部機器にインストールされたソフトウェアツールの機能であり、前記外部機器と通信可能に接続され、前記制御プログラム実行部は、前記外部機器の前記ソフトウェアツールの機能により、前記記録装置に前記登録画像データと、前記第１の識別情報とが対応付けて記憶された場合、前記外部機器と通信して、前記第１の識別情報を取得することを特徴とする。
この構成によれば、外部機器にインストールされたソフトウェアツールの機能により、１の登録画像データと、外部識別情報とが対応付けて記憶された場合、制御プログラム実行部は、当該外部機器と通信して、当該外部識別情報を取得すると共に、アプリケーション実行部及び自身が使用可能な内部識別情報を割り振り、当該内部識別情報と当該外部識別情報とを対応付けて管理する。すなわち、外部機器により登録画像データが登録された場合、内部識別情報と、外部識別情報との対応付けが、当該外部機器との通信を介して、制御プログラム実行部により自動で実行されるため、当該対応付けのための作業等が必要なくなると共に、外部機器により登録された登録画像データについて、不足無く管理できる。
【手続補正５】
【補正対象書類名】明細書
【補正対象項目名】０００８
【補正方法】変更
【補正の内容】
【０００８】
また、本発明は、前記アプリケーション実行部は、前記記録装置で前記登録画像データと前記第１の識別情報と前記第２の識別情報とを対応付けて管理していないことを判別した場合は、前記第１の識別情報を取得し、前記第２の識別情報を割り振ることを特徴とする。
この構成によれば、制御プログラムとは別の機能により、記録装置に、登録画像データと、外部識別情報とが対応付けて記憶された場合であって、制御プログラム実行部が、当該外部識別情報と内部識別情報とを対応付けて管理していない場合において、アプリケーション実行部から、当該登録画像データに基づいて記録装置に記録させるべく画像情報が入力された場合、制御プログラム実行部は、当該画像情報に基づいて、自動で、当該外部識別情報と内部識別情報との対応付けを行うため、外部識別情報と内部識別情報との対応付けを行うための作業を軽減することが可能となる。
【手続補正６】
【補正対象書類名】明細書
【補正対象項目名】０００９
【補正方法】変更
【補正の内容】
【０００９】
また、上記目的を達成するために、本発明は、記録装置に、登録画像データと前記登録画像データを識別する第１の識別情報とが対応付けて記憶された場合、前記記録装置に接続された制御装置の制御プログラムで前記第１の識別情報を取得し、前記制御プログラムに画像情報を出力するアプリケーションとの間で使用可能な第２の識別情報を前記制御プログラムで割り振り、前記第１の識別情報と前記第２の識別情報との対応付けを実行し、当該１の前記登録画像データに係る画像を記録させるべく、前記アプリケーションから前記第２の識別情報を含む前記画像情報が入力された場合、前記第２の識別情報を前記第１の識別情報に変換し、当該外部識別情報を含む制御コマンドを前記記録装置に出力することにより、前記記録装置に、当該外部識別情報と対応付けて記憶された当該１の前記登録画像データに基づいて画像を記録させることを特徴とする。
この制御方法によれば、制御プログラムを実行して記録装置を制御する制御プログラム実行部は、制御プロラムの機能とは別の機能により、記録装置に、１の登録画像データと、当該１の登録画像データを識別するための情報である外部識別情報とが対応付けて記憶された場合、当該外部識別情報を取得すると共に、アプリケーション実行部及び制御プログラム実行部の間で使用可能な内部識別情報を割り振り、当該内部識別情報と当該外部識別情報とを対応付けて管理する。このため、制御プログラム実行部は、当該別の機能により割り振られた外部識別情報を、自身が使用可能な内部識別情報と対応付けて管理することができる。さらに、上記構成によれば、当該１の登録画像データに係る画像を記録させるべく、アプリケーション実行部から当該内部識別情報を含む画像情報が入力された場合、当該内部識別情報を当該外部識別情報に変換し、当該外部識別情報を含む制御コマンドを記録装置に出力して画像を記録させるため、記録装置において外部識別情報に対応付けて記憶された当該１の登録画像データを適切に指定した上で、記録装置に、当該１の登録画像データに基づいて画像を記録させることができる。すなわち、上記構成によれば、当該別の機能に対する改変（例えば、ソフトウェアツールに対するカスタマイズ）等の困難かつ煩雑な作業を経ることなく、制御プログラム実行部は、制御プログラムの機能とは別の機能によって登録がされた登録画像データを管理できると共に、記録装置に、当該登録画像データに基づいて画像を記録させることができる。
【手続補正７】
【補正対象書類名】明細書
【補正対象項目名】００１０
【補正方法】変更
【補正の内容】
【００１０】
また、本発明は、アプリケーションを実行して記録媒体に記録する画像に関する情報である画像情報を生成して出力するアプリケーション実行部を備える制御装置により実行されるプログラムであって、前記制御装置に接続された記録装置に、登録画像データと前記登録画像データを識別する第１の識別情報とが対応付けて記憶された場合、前記第１の識別情報を取得し、前記アプリケーション実行部との間で使用可能な第２の識別情報を割り振り、前記第１の識別情報と前記第２の識別情報とを対応付けて管理し、前記アプリケーション実行部から前記第２の識別情報を含む前記画像情報が入力された場合、前記第２の識別情報を前記第１の識別情報に変換し、前記第１の識別情報を含む制御コマンドを前記記録装置に出力する制御プログラム実行部、として機能させることを特徴とする。
このプログラムを実行すれば、制御プログラムを実行して記録装置を制御する制御プログラム実行部は、制御プロラムの機能とは別の機能により、記録装置に、１の登録画像データと、当該１の登録画像データを識別するための情報である外部識別情報とが対応付けて記憶された場合、当該外部識別情報を取得すると共に、アプリケーション実行部及び制御プログラム実行部の間で使用可能な内部識別情報を割り振り、当該内部識別情報と当該外部識別情報とを対応付けて管理する。このため、制御プログラム実行部は、当該別の機能により割り振られた外部識別情報を、自身が使用可能な内部識別情報と対応付けて管理することができる。さらに、上記構成によれば、当該１の登録画像データに係る画像を記録させるべく、アプリケーション実行部から当該内部識別情報を含む画像情報が入力された場合、当該内部識別情報を当該外部識別情報に変換し、当該外部識別情報を含む制御コマンドを記録装置に出力して画像を記録させるため、記録装置において外部識別情報に対応付けて記憶された当該１の登録画像データを適切に指定した上で、記録装置に、当該１の登録画像データに基づいて画像を記録させることができる。すなわち、上記構成によれば、当該別の機能に対する改変（例えば、ソフトウェアツールに対するカスタマイズ）等の困難かつ煩雑な作業を経ることなく、制御プログラム実行部は、制御プログラムの機能とは別の機能によって登録がされた登録画像データを管理できると共に、記録装置に、当該登録画像データに基づいて画像を記録させることができる。